(57)【要約】【課題】手動によりカセットを載せたカセッテトレーを傾斜状態からケースに押し込むだけで天板に近い最上レベルに水平にセット可能な簡単な構造のＸ線撮影装置を提供する。【解決手段】Ｘ線撮影装置において、受像部ケース２内の両側に、スライドレールベース１０が平行に配置されるとともに、スライドレールベース１０の端部が奥側で回転可能に支持され、スライドレールベース１０はバネ１２により支持されて上方に付勢され、スライドレールベース１０にスライドレールがスライド自在に係合し、スライドレールにカセッテトレー１がスライド可能に係合し、カセッテトレー１には、移動方向に沿ってガイド部材１５が突出しており、ガイド部材１５は水平部１６と、水平部に続いて下方に向かって傾斜した傾斜部１７がカセッテトレー１の前面側に連続して形成され、ガイド部材１５を上下から挟んで支持する上ローラー１８と下ローラー１９が配置されている。【選択図】図８
2011203668.tif 000002
【特許請求の範囲】
【請求項１】
被検者を載せる天板を支持する天板支持フレームが天板支持台の上に固定され、
天板支持フレームと天板支持台との間に天板支持台上を左右に移動可能に支持されている受像部が配置され、受像部が矩形のフレームからなる受像部ケースと、受像部ケースを出入りする、カセットが載るカセッテトレーからなるＸ線撮影装置において、
受像部ケースの正面側にカセッテトレーが出入りするカセッテトレー出入口が形成され、
受像部ケース内の両側に、天板支持フレームの幅方向にスライドレールベースが平行に配置され、スライドレールベースの端部がカセッテトレー出入口と反対側の奥で回転可能に支持されるとともに、各スライドレールベースはバネにより支持されて上方に付勢され、
スライドレールベースにスライドレールがスライド自在に係合し、スライドレールにカセッテトレーがスライド可能に係合し、
カセッテトレーには、移動方向に沿ってガイド部材が突出しており、ガイド部材はカセッテトレーの両側面の水平部と、水平部に続いて下方に向かって傾斜した傾斜部がカセッテトレーの前面側に連続して形成され、
ガイド部材を上下から挟んで支持する上ローラーと下ローラーが受像部ケースの開口部側に配置されていることを特徴とするＸ線撮影装置。
【請求項２】
カセッテトレーの奥に上昇した際の受像部ケースとの緩衝材が設けられていることを特徴とする請求項１記載のＸ線撮影装置。
【請求項３】
天板支持フレームの幅方向に設けられている横部材に天板の撓みを防止する樹脂ローラーが配置されていることを特徴とする請求項１又は２記載のＸ線撮影装置。
【発明の詳細な説明】
【技術分野】
【０００１】
本発明は、ケース内にカセッテを手動で押し込んでいくことにより確実にセットできるＸ線撮影装置に関する。
【背景技術】
【０００２】
Ｘ線撮影装置は、被検者が臥位する天板の上方にＸ線照射装置が配置され、天板の裏側にＸ線受像装置が配置されたものが一般的である。Ｘ線受像装置は、フィルムを収納したカセッテを載せるトレーとトレーが天板の奥へ押し込まれるトレー収納部（ケース）で構成されている。Ｘ線撮影装置において、拡大率の増大を防いでボケの小さい鮮明な画像を得るために、天板とフィルム面の距離を小さくする方式が提案されている（特許文献１参照）。
【０００３】
特許文献１の臥位型カセッテ位置決め装置は、図９に示すように、ケース体３０内に、ゴンドラ３１、カセッテトレー３２及びゴンドラ回動装置３３を備え、ゴンドラ３１は、その後端部をケース体３０の後端上部に軸着して、前端部がケース体内を回動し得るようにし、カセッテトレー３２は、その内方にカセッテを収容し、ゴンドラ上面を前後にスライドして、ケース体３０の前側出入口から外側に引き出し得るようにし、ゴンドラ回動装置３３は、ケース体の底部後側に駆動杆３４を軸設し且つゴンドラ３１の前側部下側には作動杆３５を起伏自在に設けると共に、駆動杆３４と作動杆３５とをワイヤ３６により連結して、駆動杆３４へのワイヤ３６の巻上げによってゴンドラ３１を傾斜位置から水平位置まで回動し得るようにしてある。なお、３７は異物が挿入されるのを防止する蛇腹材である。
【０００４】
前記臥位型カセッテ位置決め装置は、把手３８を持ってカセッテトレー３２をケース体３０の出入口３９より引き出し、カセッテをカセッテトレー３２上に設置した後、カセッテトレー３２がケース体内に押し込まれてケース体内に装填される。
【０００５】
カセッテが装填されると、モーター４０が駆動してワイヤ３６を駆動杆３４に巻き上げると共に、両回動輪４１がゴンドラ３１の底部を押上げながら起立する。そして、ゴンドラ３１が水平になったことをマイクロスイッチが感知するとモーター４０が止まる。
【０００６】
Ｘ線撮影が終了すると、モーター４０が逆回転してワイヤ３６を巻き戻すと、ゴンドラ３１が徐々に下側に傾斜し、その底部下側が両保持片４１に当たると、保持片４１に設けたマイクロスイッチが作動してモーター４０を停止させる。その後、ケース体３０よりカセッテトレー３２を引き出す。
【先行技術文献】
【特許文献】
【０００７】
【特許文献１】特開平１０−０９７０１６号公報
【発明の概要】
【発明が解決しようとする課題】
【０００８】
前記特許文献１に記載された臥位型カセッテ位置決め装置では、カセッテトレーを押し込む動作だけでは、ゴンドラを水平状態にすることができないので、カセッテトレーを押し込んだ後、さらにモーターを駆動させてワイヤを巻き上げると共に、回動輪でゴンドラの底部を押上げながら起立させる必要がある。また、Ｘ線撮影の終了後は、モーターを逆回転してワイヤ３８を巻き戻して、ゴンドラを下側に傾斜させ、マイクロスイッチを作動させてモーターを停止させる必要がある。
【０００９】
そのため、前記特許文献１に記載された臥位型カセッテ位置決め装置では、次の課題がある。
【００１０】
（１）手動によるカセッテトレーの押し込み動作だけでカセッテを水平状態にすることができないので、カセッテのセットが迅速に行えない。
【００１１】
（２）ゴンドラの起立及び傾斜にモーター、駆動杆、作動杆、ワイヤなどで構成するゴンドラ回転装置、モーターの始動、停止、逆転回路等の電気的駆動手段や制御手段を必要とするため、部品点数が多くなり且つ構造が複雑となる。
【００１２】
（３）モーターを利用しているため、電気の供給がストップすると、ゴンドラの起立及び傾斜の動作が不可能となり、使用できなくなる。
【００１３】
そこで、本発明は、電気的手段を使用することなく手動によりカセットを載せたカセッテトレーを傾斜状態からケースに押し込むだけで天板に近い最上レベルに水平にセット可能な且つ簡単な構造のＸ線撮影装置を提供するものである。
【課題を解決するための手段】
【００１４】
請求項１の発明は、被検者を載せる天板を支持する天板支持フレームが天板支持台の上に固定され、天板支持フレームと天板支持台との間に天板支持台上を左右に移動可能に支持されている受像部が配置され、受像部が矩形のフレームからなる受像部ケースと、受像部ケースを出入りする、カセットが載るカセッテトレーからなるＸ線撮影装置において、受像部ケースの正面側にカセッテトレーが出入りするカセッテトレー出入口が形成され、受像部ケース内の両側に、天板支持フレームの幅方向にスライドレールベースが平行に配置されるとともに、スライドレールベースの端部がカセッテトレー出入口と反対側の奥で回転可能に支持され、スライドレールベースはバネにより支持されて上方に付勢され、スライドレールベースにスライドレールがスライド自在に係合し、スライドレールにカセッテトレーがスライド可能に係合し、カセッテトレーには、移動方向に沿ってガイド部材が突出しており、ガイド部材はカセッテトレーの両側面の水平部と、水平部に続いて下方に向かって傾斜した傾斜部がカセッテトレーの前面側に連続して形成され、ガイド部材を上下から挟んで支持する上ローラーと下ローラーが受像部ケースの開口部側に配置されていることを特徴とする。
【００１５】
請求項２の発明は、カセッテトレーの奥に上昇した際の受像部ケースとの緩衝材が設けられていることを特徴とする。
【００１６】
請求項３の発明は、天板支持フレームの幅方向に設けられている横部材に天板の撓みを防止する樹脂ローラーが配置されていることを特徴とする。
【発明の効果】
【００１７】
本発明は、手動によりカセッテトレーをケースに押し込んでいくだけの連続動作により、カセッテがケースの最上レベルに自動的に水平にセットされるので、特許文献１のような傾斜状態でセットした後に、さらに水平状態に回動させる必要がない。
【００１８】
本発明は、電気的駆動手段や制御手段等の電気を使用する手段を必要としないので、停電により使用できなくなることもない。また、回転機構を必要としないので、構造が簡単であり、故障のおそれが少ない。
【００１９】
本発明は、簡単な構造のＸ線撮影装置により、カセッテを天板に近い最上レベルに水平にセットが可能となり、拡大率の増大を防いでボケの小さい鮮明な画像を得ることができる。
【００２０】
本発明は、天板支持フレームの横材に天板の撓みを防止する樹脂ローラーを配置することにより、カセッテトレーと天板の距離を短くすることができ、鮮明な画像が得られる。
【図面の簡単な説明】
【００２１】
【図１】本発明のＸ線撮影装置の全体を示す斜視図である。
【図２】本発明のＸ線撮影装置の平面図である。
【図３】本発明のＸ線撮影装置の側面図である。
【図４】本発明のＸ線撮影装置の正面図である。
【図５】本発明のＸ線撮影装置の受像部の全体を示す斜視図である。
【図６】本発明のＸ線撮影装置の受像部において、トレーを途中まで押し込んだ状態を示す斜視図である。
【図７】本発明のＸ線撮影装置の受像部において、トレーを押し込んでセットした状態を示す斜視図である。
【図８】本発明のＸ線撮影装置の受像部の断面図であり、（ａ）はトレーを引き出した状態を示し、（ｂ）トレーの押しこみ直前の状態を示し、（ｃ）はトレーの押しこみ完了の状態を示す図である。
【図９】従来の臥位型カセッテ位置決め装置を示し、（ａ）ゴンドラを傾斜した状態を示す断面図、（ｂ）はゴンドラを水平にした状態を示す断面図である。
【発明を実施するための形態】
【００２２】
本発明の実施例について図面を参照しながら説明する。
【実施例】
【００２３】
図１〜図４はカセッテＣを載せるカセッテトレー１を受像部ケース２から引き出した状態を示しており、図示していない被検者を載せる天板（アクリル板）を支持する天板支持フレーム３が天板支持台４の上に固定されている。天板支持台４は、通常、図示していないリンク機構等で昇降可能となっている。
【００２４】
天板支持フレーム３と天板支持台４との間に受像部５が配置され、受像部５は天板支持台４の上を天板支持フレーム３の長手方向に移動可能に支持されている。受像部５は、矩形のフレームからなる受像部ケース２と、受像部ケース２を出入りする、カセッテＣが載るカセッテトレー１で構成される。
【００２５】
天板支持フレーム３の幅方向に受像部を挟んで設けられている横材６には、天板の撓みを防止する樹脂ローラー７が配置されている。樹脂ローラー７は、天板が接した際に天板が傷つくのを防止するため、回転するローラーで擦れないようにするとともに、樹脂として天板より柔らかい材質、例えば、ウレタンやシリコン等を使用する。樹脂ローラー７で天板を支持して天板の撓みを防止することにより、天板が受像部ケース２上面に触れることがないので、カセッテトレー１と天板の距離を短くすることができ、鮮明な画像が得られる。
【００２６】
図５〜図８において、受像部ケース２の手前側にはカセッテトレー１が出入りするカセッテトレー出入口９が形成されている。受像部ケース２内の両側には、天板支持フレーム３の幅方向にスライドレールベース１０が平行に配置されている。スライドレールベース１０の端部は、カセッテトレー出入口９と反対の奥側で回転可能にブランケット１１に支持され、スライドレールベース１０のカセッテトレー出入口９の他端が上下動して水平の状態あるいは傾斜した状態となる。スライドレールベース１０はバネ１２により下から支持されて上方に付勢されている。スライドレールベース１０はレール押え１３で横揺れを防止する。
【００２７】
スライドレールベース１０にはスライドレール１４がスライド自在に係合し、スライドレール１４にはカセッテトレー１がスライド可能に係合している。カセッテトレー１がスライドレール１４を前後にスライドする際にスライドレール１４もスライドレールベース１０をスライドしてカセッテトレー１が受像部ケース２からスムーズに出し入れ可能となる。
【００２８】
カセッテトレー１の両側面には、移動方向に沿って全長にガイド部材となるガイド板１５が突出しており、ガイド板１５はカセッテトレー１の側面に設けられた水平部１６と、水平部１６に続いて下方に向かって傾斜した傾斜部１７がカセッテトレー１の前面側に連続して形成されている。カセッテトレー１を押し込んで行く際に、カセッテトレー１のガイド板１５は、受像部ケース２のカセッテトレー出入口９側の端部に配置されている上ローラー１８と下ローラー１９に挟まれて支持されて誘導される。
【００２９】
カセッテトレー１の前面には、カセッテトレー１を移動させる際に握る取手２０が設けられている。また、カセッテトレー１の周囲上面又はその一部にカセッテトレー１がバネ１２による付勢により上昇した際に受像部ケース２等の他の部材との間で衝突音が発生しないようにクッションゴム２１が設けられている。
【００３０】
次に、本発明のＸ線撮影装置の動作について説明する。
【００３１】
受像部ケース２を、天板支持台４上を長手方向に移動させて位置決めして固定した後、図８（ａ）に示すように、取手２０を握ってカセッテトレー１を受像部ケース２から手前に引き出し、引き出したカセッテトレー１にカセッテを載せる。
【００３２】
カセッテを載せたカセッテトレー１を、取手２０を握って受像部ケース２内に押し込んでゆく。図８（ｂ）に示すように、ガイド板１５の水平部１６が上下のローラー１８，１９に挟まれて通過する際には、カセッテトレー１は傾斜した状態のスライドレールベース１０に沿って傾斜した状態で移動し、傾斜部１７が上下のローラー１８，１９を通過する際には、傾斜部１７がローラー１８，１９に誘導されてカセッテトレー１の取手側がスライドレールベース１０のバネ１２による付勢で上昇しながら、図８（ｃ）に示すように水平状態になる。こうして、手動によりカセッテトレー１を受像部ケース２内に押し込んでいくだけの動作により水平にセットすることが可能となる。
【符号の説明】
【００３３】
１：カセッテトレー          ２：受像部ケース
３：天板支持フレーム        ４：天板支持台
５：受像部                  ６：横材
７：樹脂ローラー            
９：カセッテトレー出入口  １０：スライドレールベース
１１：ブランケット          １２：バネ
１３：レール押え            １４：スライドレール
１５：ガイド部材              １６：水平部
１７：傾斜部                １８：上ローラー
１９：下ローラー            ２０：取手
２１：クッションゴム
３０：ケース体
３１：ゴンドラ              ３２：カセッテトレー
３３：ゴンドラ回動装置      ３４：駆動杆
３５：作動杆                ３６：ワイヤ
３７：蛇腹材                ３８：把手
３９：出入口                ４０：モーター
４１：保持片                  Ｃ：カセッテ
【図１】
2011203668.tif 000003
【図２】
2011203668.tif 000004
【図３】
2011203668.tif 000005
【図４】
2011203668.tif 000006
【図５】
2011203668.tif 000007
【図６】
2011203668.tif 000008
【図７】
2011203668.tif 000009
【図８】
2011203668.tif 000010
【図９】
2011203668.tif 000011